(57)【要約】【課題】被破砕物を容易に細粒化できるとともに、被破砕物が詰ることがない破砕機を提供する。【解決手段】破砕機１は、互いに平行に配置され、それぞれの外周に互いに噛合する破砕刃１４，１５を各備える一対の破砕ローラ５，６と、これら破砕ローラ５，６を互いに反対方向に回転するように駆動する駆動機構と、これら破砕ローラ５，６の下方に所定間隔をおいて前記破砕ローラ５，６と平行に配置し、各破砕ローラ５，６から被破砕物を介して所定以上のトルクを受けると回転するようになした補助ローラ１１とから構成する。破砕ローラ５，６で破砕を行った後に、補助ローラ１１上で再破砕を行うので、被破砕物の細粒化が可能であり、また前記再破砕において、補助ローラ１１が所定値以上のトルクを受けると回転するので、補助ローラ１１上の被破砕物が落下し詰まることがない。【選択図】図１
2006218446.tif 000002
【特許請求の範囲】
【請求項１】
互いに平行に配置され、それぞれの外周に互いに噛合する破砕刃を各備える一対の破砕ローラと、これら破砕ローラを互いに反対方向に回転するように駆動する駆動機構と、これら破砕ローラの下方に所定間隔をおいて前記破砕ローラと平行に配置し、各破砕ローラから被破砕物を介して所定以上のトルクを受けると回転するようになした補助ローラとから構成した破砕機。
【請求項２】
補助ローラは、外周に多数の係止突起を有することを特徴とする請求項１記載の破砕機。
【請求項３】
補助ローラを回転させるトルクの値を変更可能とすることを特徴とする請求項１記載の破砕機。
【発明の詳細な説明】
【技術分野】
【０００１】
本発明は、互いに平行に伸びる二軸あるいは三軸の破砕ローラを備えた破砕機に係り、特に、前記破砕ローラ間を通過して変形はするが、通過後に再び膨張したりして細粒化することが困難なゴミなどの被破砕物を破砕するのに好適な破砕機に関するものである。
【背景技術】
【０００２】
従来のこの種破砕機には、底部に多数のスリットを平行に設けたケーシングの前記底部に、前記スリットとは直角をなして互いに平行に設け、かつ互いに反対方向に回転する回転刃を有する２本の軸と、前記回転刃と摺接する固定刃と、前記固定刃の下方に前記軸と平行に延伸した邪魔板とを備えたものがある（特許文献１参照）。この破砕機は、ケーシングの上方から供給される被破砕物が互いに反対方向に回転する両軸の回転刃間に入り、固定刃との協動によって剪断され、さらに、破砕されずにスリットをすり抜けた棒状の被破砕物が、邪魔板によって落下を阻止され、前記両回転刃によって再破砕するというものである。
【０００３】
【特許文献１】特開平１０−２６３４２７号公報
【発明の開示】
【発明が解決しようとする課題】
【０００４】
上記従来の破砕機は、邪魔板によって落下を阻止された被破砕物が回転刃の回転で破砕されずに掻き出されて落下しやすいうえ、邪魔板が固定状態で配置されているので、被破砕物が邪魔板上に溜まって詰まることがあるという問題がある。
【０００５】
本発明は、上記問題を解消することを課題とし、該課題を解決した破砕機を提供することを目的とする。
【課題を解決するための手段】
【０００６】
前記目的を達成するために、請求項１記載の本発明は、互いに平行に配置され、それぞれの外周に互いに噛合する破砕刃を各備える一対の破砕ローラと、これら破砕ローラを互いに反対方向に回転するように駆動する駆動機構と、これら破砕ローラの下方に所定間隔をおいて前記破砕ローラと平行に配置し、各破砕ローラから被破砕物を介して所定以上のトルクを受けると回転するようになした補助ローラとから構成したものである。
【０００７】
また、請求項２記載の本発明は、請求項１記載の補助ローラは、外周に多数の係止突起を有することを特徴とするものである。
【０００８】
さらに、請求項３記載の本発明は、補助ローラを回転させるトルクの値を変更可能とすることを特徴とするものである。
【発明の効果】
【０００９】
請求項１記載の本発明は、破砕ローラどうしで被破砕物の破砕を行った後に、破砕しきれなかった被破砕物を補助ローラ上で再破砕を行うので、被破砕物の細粒化、特に、変形して破砕ローラ間を通過した後、原形に再復帰するような被破砕物の細粒化が可能であるとともに、補助ローラ上での再破砕において、被破砕物が一定量以上溜まると、補助ローラが所定値以上のトルクを受けて回転し、被破砕物が補助ローラの下側に移動して自然落下するので、被破砕物が詰まることがないという効果を奏する。
【００１０】
また、請求項２記載の本発明は、係止突起に被破砕物が係止して、この係止状態が解除されるほど細かく再破砕されるまで補助ローラ上に止まり容易には落下せず、被破砕物を確実に破砕できるという効果を奏する。
【００１１】
さらに、請求項３記載の本発明は、細粒化の程度に合わせて補助ローラを回転させるトルク値を設定できるという効果を奏する。
【発明を実施するための最良の形態】
【００１２】
次に、本発明の好適な実施形態を添付図面の図１及び図２に基づいて詳細に説明する。ここにおいて、添付図面の図１は手前の破砕ローラを取り除き、一部を縦断して示す正面図、図２は図１のＡ−Ａ線断面図、図３は拡大部分平面図である。
【００１３】
図１及び図２に示すように、破砕機１は、本体２両端部に設けた軸受プレート３，４にその両端を回転可能に軸支して、互いに水平方向に平行に配置した破砕ローラ５，６と、一方の破砕ローラ５を回転駆動する回転駆動部材７と、両破砕ローラ５，６を互いに反対方向に連動回転させるための平歯車８，９（図１では一方のみ図示、図３参照）と、これら破砕ローラ５，６の下方に所定間隔をおいて前記破砕ローラ５，６と平行に配置し、外周に多数の係止突起１０を有する回転可能な補助ローラ１１とから構成する。
【００１４】
図１〜図３に示すように、破砕ローラ５，６は、それぞれ芯軸１２，１３の外周に破砕刃１４，１５を互いに噛合するようにそれぞれ複数設け、一方の前記破砕ローラ６の芯軸１３端部に、正逆回転可能な前記回転駆動部材７、例えば可逆回転モータを連結する。この回転駆動部材７と前記平歯車８，９とによって、破砕ローラ５，６を互いに反対方向に回転するように駆動する駆動機構を構成する。この駆動機構は、被破砕物を破砕するとき、前記回転駆動部材７を正回転（破砕ローラ５，６の各破砕刃１４，１５を内向きに回転）させ、作業終了後の清掃時などに、必要に応じて逆回転させるものである。
【００１５】
図１及び図２に示すように、補助ローラ１１は、円柱状をなし、その両端を軸受ブロック１６，１７に、両方向に回転自在に軸支され、一方の軸受ブロック１７より突出した軸端１８には、所定値以下のトルクを受けても回転せず、所定値以上のトルクを受けると回転するように、所定の回転摩擦抵抗力を発生させるブレーキ機構１９を設けてある。このブレーキ機構１９は、軸端１８に一体的に固定したブレーキホイール２０と、このブレーキホイール２０の下部に対応位置して設けた油圧ポンプ２１の圧力によってブレーキホイール２０を押圧し、前記回転摩擦抵抗力を発生させるディスク２２とから構成する。前記油圧ポンプ２１の出力は変更可能であり、ブレーキホイール２０に対して付与する前記回転摩擦抵抗力を任意に変更し得る。
【００１６】
図１に示すように、本体２の両端近傍の、各軸受プレート３，４内側部位には、被破砕物が本体２外部に散乱するのを阻止するための仕切りプレート２３，２４を配置する。
【００１７】
また、本体２の上部には、被破砕物を投入するための投入ホッパ（図示せず）を設けるとともに、本体２の下部には、破砕して細粒化した被破砕物を排出するための収容部材（図示せず）を設けてある。
【００１８】
以上のように構成した破砕機１の投入ホッパ（図示せず）に被破砕物を投入すると、正回転する各破砕ローラ５，６間において、前記被破砕物が両方の破砕刃１４，１５によって剪断、破砕されて、下方の補助ローラ１１の上に移動し、一定以上の大きさの被破砕物は多数の係止突起１０に係止した状態で一旦停滞し、充分細粒化された被破砕物は収容部材（図示せず）に排出される。補助ローラ１１上に一旦止まった破砕しきれなかった被破砕物は、前記破砕刃１４，１５によって再破砕されて細粒化し、掻き落とされ収容部材（図示せず）に排出される。また、被破砕物が補助ローラ１１上に停滞したままの、いわゆる詰まってしまった場合には、破砕ローラ５，６の回転力が前記被破砕物を介して補助ローラ１１に伝達し、そのトルクが所定値以上になると、補助ローラ１１がブレーキ機構１９の回転摩擦抵抗力に抗して回転し、詰まった被破砕物が補助ローラ１１の下側に移動して自然落下し排出される。
【００１９】
なお、本発明は上記実施形態になんら限定されるものではなく、例えば、補助ローラ１１は、円柱状ではなく、四角柱などであってもよい。また、ブレーキ機構１９は、ブレーキホイール２０と油圧ポンプ２１とディスク２２とからなるものではなく、他の構造のものであってもよい。さらに、ブレーキ機構１９に替えて、常に一定の回転摩擦抵抗力を付与する機構を設けてもよい。
【図面の簡単な説明】
【００２０】
【図１】手前の破砕ローラを取り除き、一部を縦断して示す正面図。
【図２】図１のＡ−Ａ線断面図。
【図３】拡大部分平面図。
【符号の説明】
【００２１】
１    破砕機
２    本体
３，４    軸受プレート
５，６    破砕ローラ
７    回転駆動部材
８，９    平歯車
１０    係止突起
１１    補助ローラ
１２，１３    芯軸
１４，１５    破砕刃
１６，１７    軸受ブロック
１８    軸端
１９    ブレーキ機構
２０    ブレーキホイール
２１    油圧ポンプ
２２    ディスク
２３，２４    仕切りプレート
【図１】
2006218446.tif 000003
【図２】
2006218446.tif 000004
【図３】
2006218446.tif 000005